【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
Ｘ線ビームを絞るための方法、特に口外法Ｘ線撮影装置に関連してＸ線ビームを絞るための方法であって、第１ブレード絞り装置（１，１’，１’’，１１）の２つのブレード（３，３’，３’’，１３；４，４’，４’’，１４）が、所望の形を有するＸ線ビームを生成するように１つの共通アクチュエータ（９，９’，９’’，１９）のみを介して移動され、前記少なくとも２つのブレードが、互いの距離を変えて一方が他方に対して移動可能であり、それによって前記Ｘ線ビームが通過する開口部の幅が変化し、また前記開口部は、前記２つのブレードのそれぞれ１つによって２つの対向する側で境界が定められている、Ｘ線ビームを絞るための方法において、
前記２つのブレード（３，３’，３’’，１３；４，４’，４’’，１４）を、前記アクチュエータ（９，９’，９’’，１９）によって、所定の長さの経路に沿って、同一の第１方向に、又は前記第１方向と反対の同一の第２方向に共に変位させるステップと、
前記２つのブレードのうちの第２ブレードを、前記２つのブレードのうちの第１ブレードと相対的に所定の経路で変位させ、したがって前記２つのブレードの前記距離を変化すなわち増加又は減少させることを可能とするステップと、
前記第１ブレード（３，３’，３’’，１３）が、剛体連結部（３５，３２）によって前記アクチュエータと連結され、それによって前記アクチュエータとの同一の相対位置を維持することと、
前記第２ブレード（４，４’，４’’，１４）が、前記第２ブレード（４，４’，４’’，１４）と剛体連結部（３３，３５）との間に介装された摩擦デバイスによって前記アクチュエータ（９，９’，９’’，１９）と連結され、前記摩擦デバイスが、前記第２ブレードを、前記剛体連結部（３３，３５）と相対的に前記アクチュエータへと変位させることと、
ストップ手段（５，５’，６，６’）が、前記２つの反対方向に対してそれぞれ、前記第２ブレード（４，４’，４’’，１４）の一方の先端と協働するように設けられ、それにより前記第２ブレードが前記２つの反対方向の何れかにおいて前記第１ブレードの前記経路の一定長さに亘って前記第１ブレードと共に共通して変位するのを防ぐことと
を特徴とする、Ｘ線ビームを絞るための方法。
【請求項２】
前記第１及び第２ブレード（３，３’，３’’，１３；４，４’，４’’，１４）の組が、撮像する物体の反対方向に設けられたソース及びセンサ（Ｓ）を有するＸ線ユニットの回転軸線に垂直な方向に沿って変位され、
前記第２ブレード（４，４’，４’’，１４）と協働する前記ストップ手段（５，５’，６，６’）が、所定の距離互いに離間して設けられ、且つ前記第２ブレード（４，４’，４’’，１４）の前記所定の長さの経路を規定しており、前記第２ブレード（４，４’，４’’，１４）と前記第１ブレード（３，３’，３’’，１３）とは、前記第１及び第２ブレードの対向端の相対距離を維持したまま、且つ前記Ｘ線を通過させるための前記開口部を前記Ｘ線ビームの伝播軸線に関して相対的に並進移動させつつ、前記所定の長さの経路に沿って共に移動し、また一方で、任意で、前記第１及び第２ブレードの前記共通の変位は、前記変位を、スキャンする物体の反対側に位置する前記ソース及び前記センサ（ｓ）を有する前記Ｘ線ユニットの回転並進移動と同期させることによって行われる、請求項１に記載のＸ線ビームを絞るための方法。
【請求項３】
更なる第２ブレード絞り装置が設けられ、前記２つのブレード絞り装置（１’，１’’）は互いに垂直であり、且つ重なっており、それにより、前記２つのブレード絞り装置のうちの第１ブレード絞り装置（１’）を通した水平コリメーションと、前記２つのブレード絞り装置のうちの第２ブレード絞り装置（１’’）を通した鉛直コリメーションとの両方が得られる、請求項１又は２に記載のＸ線ビームを絞るための方法。
【請求項４】
前記ブレード絞り装置（１，１’〜１’’）は平面コリメータであり、前記水平コリメーションのための前記ブレード（３，４；１３，１４）に加え、前記鉛直コリメーションのためのパンチプレート（２；１２）が設けられ、前記パンチプレート（２，１２）は、異なる形と寸法とを有する複数の窓部（２１〜２６）を備え、前記パンチプレートは、摩擦デバイスによって前記アクチュエータ（９，９’，９’’，１９）と連結され、また前記パンチプレートは、並進移動の２つの反対方向のうちの一方を向いた、両側の各々と協働する少なくともストローク端（７，７’；８，８’）によって並進移動を制限されている、請求項１又は２に記載のＸ線ビームを絞るための方法。
【請求項５】
前記ブレード（３，４；１３，１４）の、及び設けられている場合には前記パンチプレート（２；１２）のそれぞれの配置が固定されると、全ての前記絞り装置（１，１１）が、患者の歯列弓の制限された部分を照射するようにＸ線ソース及びセンサ（Ｓ）と同期して回転し、検査中の前記患者は、歯列弓全部が取得されるとき（Ｚ）に位置付けられるのと同様に、前記口外法装置に関して対称的に位置を定められる、請求項１から４までの何れか一項に記載のＸ線ビームを絞るための方法。
【請求項６】
２つのブレード（３’，４’）を備えた前記第１ブレード絞り装置（１’）が、２つのブレードの移動を通して水平コリメーションをもたらし、異なる形と寸法とを有する複数の窓部を備えたパンチプレートが鉛直コリメーションをもたらし、前記複数の窓部は、前記２つのブレードによって画定された窓部と重なっており、前記ブレード及び前記パンチプレートは巻かれて同心円筒を形成し、前記パンチプレートが外側円筒であり、前記ブレードが内側円筒上をスライドし、
前記方法が、歯列弓全体よりも狭い対象領域（ｚ）を取得するステップを含み、この取得の最中、前記絞り装置（１，１１）は、所定の相互位置で前記ブレード（３，４；１３，１４）及び前記パンチプレート（２；１２）をブロックし、その後全ての前記円筒形絞り装置（１；１１）が、同一の狭い対象領域に常に照射をするように、Ｘ線ソース及びセンサ（Ｓ）と同期して、それ自体の回転軸線を中心に回転し、また検査中の前記患者は、歯列弓全体が取得されるとき（Ｚ）に位置付けられるのと同様に、前記口外法装置に関して対称的に位置を定められる、請求項１に記載のＸ線ビームを絞るための方法。
【請求項７】
請求項１から３までの何れか一項に記載のＸ線ビームを絞るための方法によりＸ線ソースから放射されるＸ線ビームを絞るための装置（１，１’，１’’，１１）であって、２つのブレード（３，３’，３’’，１３；４，４’，４’’，１４）を備えた第１ブレード絞り装置（１，１’，１’’，１１）を少なくとも有し、前記２つのブレードは、互いの距離を変えて一方が他方に対して移動可能であり、それによって前記Ｘ線ビームが通過する開口部の幅が変化し、また前記開口部は、前記２つのブレードのそれぞれ１つによって２つの対向する側で境界が定められている、Ｘ線ビームを絞るための装置において、
全ての前記ブレード（３，３’，３’’，１３；４，４’，４’’，１４）を同じ第１及び第２の方向に移動させるようになされた唯一の共通アクチュエータ（９，９’，９’’，１９）が設けられ、前記第２方向は前記第１方向と反対向きであり、前記第１ブレード（３，３’，３’’，１３）は、前記アクチュエータ（９，９’，９’’，１９）との相対位置を維持するように前記共通アクチュエータ（９，９’，９’’，１９）に固く連結され、
前記第２ブレード（４，４’，４’’，１４）が、前記第２ブレード（４，４’，４’’，１４）と前記共通アクチュエータへの剛体連結部（３３，３５）との間に介装された摩擦デバイスによって前記アクチュエータ（９，９’，９’’，１９）に連結され、前記摩擦デバイスは、前記第２ブレードが前記アクチュエータへの前記剛体連結部（３３，３５）に対して相対的に変位されることを可能にし、前記第１ブレードと共通した前記第２ブレードの移動が、２つの反対向きの並進移動方向のうちの一方をそれぞれ向いた前記第２ブレードの両側において、前記第２ブレード（４，４’，４’’，１４）の前記両側のうちの１つとそれぞれ協働する少なくともストップ手段（５，５’；６，６’；９４）によって制限されている
ことを特徴とする、Ｘ線ビームを絞るための装置（１，１’，１’’，１１）。
【請求項８】
２つのブレード（３’，４’）を備える少なくとも前記第１ブレード絞り装置（１’）が水平コリメーションをもたらし、２つのブレード（３’’，４’’）を備える更なる第２ブレード絞り装置（１’’）が鉛直コリメーションをもたらし、前記２つの第１及び第２ブレード絞り装置（１’，１’’）が垂直にセットされ、且つ互いに重なっている、請求項５に記載の方法を実行するのに適した請求項７に記載の装置（１’，１’’）。
【請求項９】
２つのブレード（３，４；１３，１４）を備える前記第１ブレード絞り装置（１，１１）が、前記２つのブレード（３，４；１３，１４）の移動を通して水平コリメーションをもたらし、前記装置が、鉛直コリメーションを得るためのパンチプレート（２，１２）を更に有し、前記パンチプレートは、異なる形と寸法とを有する複数の窓部（２１〜２６）を備え、前記複数の窓部は、前記２つのブレード（３，４；１３，１４）によって前記画定された窓部と重なっている、請求項５に記載の方法を実行するのに適した請求項７に記載の装置（１’，１１）。
【請求項１０】
前記ブレード（１３，１４）及び前記パンチプレート（１２）は巻かれて同心円筒を形成し、前記パンチプレート（１２）が外側円筒であり、前記ブレード（１３，１４）が内側円筒上をスライドするように配置される、請求項９に記載のＸ線ソースから放射されるＸ線ビームを絞るための装置（１）。
【請求項１１】
Ｘ線ユニットが、ソース及びセンサ（Ｓ）を有し、且つ回転並進移動の共通軸線の並進移動変位を実行するようになされており、前記ストップ手段が、前記第１ブレード（３，３’，３’’，１３）の経路の前記２つの対向端に位置するストップ（５，５’；６，６’）であり、前記ストップ（５，５’；６，６’）は、前記第１ブレード（３，３’，３’’，１３）の変位の経路よりも短い前記第２ブレード（４，４’，４’’，１４）の変位の経路であって、前記第１ブレードの変位の経路全体の一部に相当する前記第２ブレード（４，４’，４’’，１４）の変位の経路を規定する距離を有し、前記第１ブレード及び前記第２ブレードは、前記経路の一部に沿った変位の間、変位方向の互いの相対位置を変えることなく共に変位するようになされており、また前記変位方向は、回転並進移動の共通軸線と垂直である、請求項７から１０までの何れか一項に記載の装置を有するシステム。
【請求項１２】
前記Ｘ線ユニットの前記回転並進移動が、前記第２ブレードの前記ストップ（５，５’；６，６’）間の前記経路の一部に沿った前記第１及び第２ブレードの変位と同期している、請求項１１に記載のシステム。